(57)【要約】【課題】鉄骨梁の端部にＰＣａ部材が一体に形成されている複合梁をＰＣａ柱に対して接合するための有効適切な接合構造と接合方法を提供する。【解決手段】複合梁１におけるＰＣａ部材３の端部を柱梁接合部（パネルゾーン）として形成し、ＰＣａ柱５は梁下までの高さとし、ＰＣａ柱の柱頭部に複合梁の柱梁接合部を載置してそれらの間に配筋した接合筋６を介してＰＣａ柱と複合梁とを接合する。複合梁に接合筋を上下に貫通せしめた状態で予め配筋しておき、ＰＣａ柱には接合筋の端部が挿入されるスリーブ継手７を埋設しておく。あるいは複合梁に接合筋を後配筋するための貫通孔を予め設けておく。もしくはＰＣａ柱に接合筋を配筋して複合梁に接合筋を配筋するための貫通孔を予め設けておく。複合梁の端部のＰＣａ部材に予めプレストレスを導入しておくことも考えられる。【選択図】図１
2011252304.tif 000002
【特許請求の範囲】
【請求項１】
鉄骨梁を主体としてその両端部にプレキャスト鉄筋コンクリートからなるＰＣａ部材が一体に形成されている複合梁を対象として、該複合梁をプレキャスト鉄筋コンクリート造のＰＣａ柱の間に架設するに際して、前記ＰＣａ部材の端部を前記ＰＣａ柱に対して接合するための構造であって、
前記複合梁における前記ＰＣａ部材の端部は柱梁接合部として形成されているとともに、前記ＰＣａ柱は梁下までの高さとして形成されていて、該ＰＣａ柱の柱頭部に前記複合梁の柱梁接合部が載置されてそれらの間に配筋された接合筋を介して前記ＰＣａ柱と前記複合梁とが接合されてなることを特徴とするＰＣａ柱と複合梁との接合構造。
【請求項２】
請求項１記載のＰＣａ柱と複合梁との接合構造であって、
前記複合梁における前記ＰＣａ部材にはＰＣ鋼材が埋設されて緊張定着されていることにより、該ＰＣａ部材には材軸方向に予めプレストレスが導入されてなることを特徴とするＰＣａ柱と複合梁との接合構造。
【請求項３】
請求項１または２記載の構造によってＰＣａ柱と複合梁とを接合するための接合方法であって、
以下の(ａ)〜(ｄ)工程を有することを特徴とするＰＣａ柱と複合梁との接合方法。
(a)前記複合梁には前記柱梁接合部に前記接合筋を上下に貫通せしめた状態で予め配筋しておき、前記ＰＣａ柱にはその柱頭部および柱脚部にそれぞれ前記接合筋の端部が挿入されるスリーブ継手を埋設しておく工程、
(b)前記ＰＣａ柱の柱頭部に前記柱梁接合部を載置するとともに、その際に前記接合筋の下端部を該ＰＣａ柱の柱頭部のスリーブ継手に挿入する工程、
(c)前記柱梁接合部上に上階のＰＣａ柱を建て込むとともに、その際に該ＰＣａ柱の柱脚部のスリーブ継手に前記接合筋の上端部を挿入する工程、
(d)前記スリーブ継手にグラウトを充填して前記接合筋を介して前記複合梁の柱梁接合部と前記ＰＣａ柱とを接合する工程。
【請求項４】
請求項１または２記載の構造によってＰＣａ柱と複合梁とを接合するための接合方法であって、
以下の(ａ)〜(ｄ)工程を有することを特徴とするＰＣａ柱と複合梁との接合方法。
(a)前記複合梁には前記柱梁接合部に前記接合筋を上下に貫通せしめた状態で配筋するための貫通孔を予め形成しておき、前記ＰＣａ柱にはその柱頭部および柱脚部にそれぞれ前記接合筋の端部が挿入されるスリーブ継手を埋設しておく工程、
(b)前記ＰＣａ柱の柱頭部に前記柱梁接合部を載置した後、前記貫通孔に前記接合筋を配筋してその下端部を該ＰＣａ柱の柱頭部のスリーブ継手に挿入する工程、
(c)前記柱梁接合部上に上階のＰＣａ柱を建て込むとともに、その際に該ＰＣａ柱の柱脚部のスリーブ継手に前記接合筋の上端部を挿入する工程、
(d)前記スリーブ継手にグラウトを充填して前記接合筋を介して前記複合梁の柱梁接合部と前記ＰＣａ柱とを接合する工程。
【請求項５】
請求項１または２記載の構造によってＰＣａ柱と複合梁とを接合するための接合方法であって、
以下の(ａ)〜(ｄ)工程を有することを特徴とするＰＣａ柱と複合梁との接合方法。
(a)前記複合梁には前記柱梁接合部に前記接合筋を上下に貫通せしめた状態で配筋するための貫通孔を予め形成しておき、前記ＰＣａ柱にはその柱頭部に前記接合筋を上階に配置されるＰＣａ柱の柱脚部に達するように上方に突出せしめて設けておくとともに、その柱脚部には前記接合筋の上端部が挿入されるスリーブ継手を埋設しておく工程、
(b)前記ＰＣａ柱の柱頭部に前記柱梁接合部を載置するとともに、その際に前記貫通孔に前記接合筋を貫通せしめる工程、
(c)前記柱梁接合部上に上階のＰＣａ柱を建て込むとともに、その際に該ＰＣａ柱の柱脚部のスリーブ継手に前記接合筋の上端部を挿入する工程、
(d)前記スリーブ継手にグラウトを充填して前記接合筋を介して前記複合梁の柱梁接合部と前記ＰＣａ柱とを接合する工程。
【請求項６】
請求項３，４または５記載のＰＣａ柱と複合梁との接合方法であって、
前記複合梁における柱梁接合部とその上下に接合される前記ＰＣａ柱の柱脚部および柱頭部との間の間隙にそれぞれグラウトを充填することにより、該間隙を通して該間隙に通じている前記スリーブ継手に対してグラウトを充填することを特徴とするＰＣａ柱と複合梁との接合方法。
【請求項７】
請求項４または５記載のＰＣａ柱と複合梁との接合方法であって、
前記複合梁における柱梁接合部とその上下に接合される前記ＰＣａ柱の柱脚部および柱頭部との間の間隙にそれぞれグラウトを充填することにより、該間隙を通して該間隙に通じている前記スリーブ継手に対してグラウトを充填するとともに、該間隙からその上部に通じている前記貫通孔に対してグラウトを充填することを特徴とするＰＣａ柱と複合梁との接合方法。
【発明の詳細な説明】
【技術分野】
【０００１】
本発明は、鉄骨梁とＰＣａ部材とによる複合構造の複合梁をＰＣａ柱に対して接合するための構造および方法に関する。
【背景技術】
【０００２】
この種の複合梁はロングスパンであっても軽量かつ変形性能に優れるものであり、また鉄筋コンクリート柱（ＲＣ柱）と組み合わせて用いることでコスト的にも有利なものであることから、今後の普及が期待されている。
この種の複合梁としては、たとえば特許文献１に示されるように中央鉄骨部と端部鉄筋コンクリート部とよりなり中央鉄骨部の鉄骨を端部鉄筋コンクリート部の一部に埋設して両者を一体化したものや、特許文献２に示されるように中間部がＨ形鋼からなる鉄骨梁とされ両端部が当該鉄骨梁をハーフプレキャストコンクリートで被覆した鉄骨鉄筋コンクリート造とされたものが知られている。
【０００３】
また、この種の複合梁は端部のＰＣａ部材をプレキャストコンクリート柱（ＰＣａ柱）に対して接合することでＰＣａ柱間に架設されるが、そのようにＰＣａ部材どうしを接合するための構造や工法としては、たとえば特許文献３〜５に示されるように多くの提案がある。
【先行技術文献】
【特許文献】
【０００４】
【特許文献１】特公平４−３８８５４号公報
【特許文献２】特開２００６−１４４５３５号公報
【特許文献３】特開平８−４１１０号公報
【特許文献４】特開２００１−１９３１５０号公報
【特許文献５】特開２００６−２６５９３３号公報
【発明の概要】
【発明が解決しようとする課題】
【０００５】
しかし、いずれにしてもＰＣａ部材どうしを構造的に安定にかつ施工的にも合理的に接合することは必ずしも容易ではなく、そのための万全の構造や工法は確立されていない。
特に、上記のような複合梁ではその端部のＰＣａ部材に対してプレストレスを導入することも考えられるが、その場合には接合部の構造がさらに複雑になるし、ＰＣ鋼材の緊張作業や定着作業も必要もなるので接合作業がさらに煩雑になる。
【０００６】
上記事情に鑑み、本発明は鉄骨梁を主体としてその端部にＰＣａ部材が一体に形成されている複合梁を対象として、それをＰＣａ柱に対して接合するための有効適切な接合構造と接合方法を提供することを目的とする。
【課題を解決するための手段】
【０００７】
請求項１記載の発明は、鉄骨梁を主体としてその両端部にプレキャスト鉄筋コンクリートからなるＰＣａ部材が一体に形成されている複合梁を対象として、該複合梁をプレキャスト鉄筋コンクリート造のＰＣａ柱の間に架設するに際して、前記ＰＣａ部材の端部を前記ＰＣａ柱に対して接合するための構造であって、前記複合梁における前記ＰＣａ部材の端部は柱梁接合部として形成されているとともに、前記ＰＣａ柱は梁下までの高さとして形成されていて、該ＰＣａ柱の柱頭部に前記複合梁の柱梁接合部が載置されてそれらの間に配筋された接合筋を介して前記ＰＣａ柱と前記複合梁とが接合されてなることを特徴とする。
【０００８】
請求項２記載の発明は、請求項１記載のＰＣａ柱と複合梁との接合構造であって、前記複合梁における前記ＰＣａ部材にはＰＣ鋼材が埋設されて緊張定着されていることにより、該ＰＣａ部材には材軸方向に予めプレストレスが導入されてなることを特徴とする。
【０００９】
請求項３記載の発明は、請求項１または２記載の構造によってＰＣａ柱と複合梁とを接合するための接合方法であって、以下の(ａ)〜(ｄ)工程を有することを特徴とする。
(a)前記複合梁には前記柱梁接合部に前記接合筋を上下に貫通せしめた状態で予め配筋しておき、前記ＰＣａ柱にはその柱頭部および柱脚部にそれぞれ前記接合筋の端部が挿入されるスリーブ継手を埋設しておく工程、
(b)前記ＰＣａ柱の柱頭部に前記柱梁接合部を載置するとともに、その際に前記接合筋の下端部を該ＰＣａ柱の柱頭部のスリーブ継手に挿入する工程、
(c)前記柱梁接合部上に上階のＰＣａ柱を建て込むとともに、その際に該ＰＣａ柱の柱脚部のスリーブ継手に前記接合筋の上端部を挿入する工程、
(d)前記スリーブ継手にグラウトを充填して前記接合筋を介して前記複合梁の柱梁接合部と前記ＰＣａ柱とを接合する工程。
【００１０】
請求項４記載の発明は、請求項１または２記載の構造によってＰＣａ柱と複合梁とを接合するための接合方法であって、以下の(ａ)〜(ｄ)工程を有することを特徴とする。
(a)前記複合梁には前記柱梁接合部に前記接合筋を上下に貫通せしめた状態で配筋するための貫通孔を予め形成しておき、前記ＰＣａ柱にはその柱頭部および柱脚部にそれぞれ前記接合筋の端部が挿入されるスリーブ継手を埋設しておく工程、
(b)前記ＰＣａ柱の柱頭部に前記柱梁接合部を載置した後、前記貫通孔に前記接合筋を配筋してその下端部を該ＰＣａ柱の柱頭部のスリーブ継手に挿入する工程、
(c)前記柱梁接合部上に上階のＰＣａ柱を建て込むとともに、その際に該ＰＣａ柱の柱脚部のスリーブ継手に前記接合筋の上端部を挿入する工程、
(d)前記スリーブ継手にグラウトを充填して前記接合筋を介して前記複合梁の柱梁接合部と前記ＰＣａ柱とを接合する工程。
【００１１】
請求項５記載の発明は、請求項１または２記載の構造によってＰＣａ柱と複合梁とを接合するための接合方法であって、以下の(ａ)〜(ｄ)工程を有することを特徴とする。
(a)前記複合梁には前記柱梁接合部に前記接合筋を上下に貫通せしめた状態で配筋するための貫通孔を予め形成しておき、前記ＰＣａ柱にはその柱頭部に前記接合筋を上階に配置されるＰＣａ柱の柱脚部に達するように上方に突出せしめて設けておくとともに、その柱脚部には前記接合筋の上端部が挿入されるスリーブ継手を埋設しておく工程、
(b)前記ＰＣａ柱の柱頭部に前記柱梁接合部を載置するとともに、その際に前記貫通孔に前記接合筋を貫通せしめる工程、
(c)前記柱梁接合部上に上階のＰＣａ柱を建て込むとともに、その際に該ＰＣａ柱の柱脚部のスリーブ継手に前記接合筋の上端部を挿入する工程、
(d)前記スリーブ継手にグラウトを充填して前記接合筋を介して前記複合梁の柱梁接合部と前記ＰＣａ柱とを接合する工程。
【００１２】
請求項６記載の発明は、請求項３，４または５記載のＰＣａ柱と複合梁との接合方法であって、前記複合梁における柱梁接合部とその上下に接合される前記ＰＣａ柱の柱脚部および柱頭部との間の間隙にそれぞれグラウトを充填することにより、該間隙を通して該間隙に通じている前記スリーブ継手に対してグラウトを充填することを特徴とする。
【００１３】
請求項７記載の発明は、請求項４または５記載のＰＣａ柱と複合梁との接合方法であって、前記複合梁における柱梁接合部とその上下に接合される前記ＰＣａ柱の柱脚部および柱頭部との間の間隙にそれぞれグラウトを充填することにより、該間隙を通して該間隙に通じている前記スリーブ継手に対してグラウトを充填するとともに、該間隙からその上部に通じている前記貫通孔に対してグラウトを充填することを特徴とする。
【発明の効果】
【００１４】
本発明の接合構造および接合方法によれば、複合梁とＰＣａ柱とを接合筋を介して確実堅固に接合できることはもとより、複合梁の端部がそのまま柱梁接合部（パネルゾーン）として機能するので構造的に単純にして明快であって合理的であるし、梁と柱の双方に対する高度のＰＣａ化を実現できるので効率的な施工が可能であり、柱梁接合部を現場打ちで施工することが通常である在来工法に比べて施工効率を大きく改善することが可能である。
特に、複合梁の端部のＰＣａ部材に対してプレストレスを導入する場合には、複合梁の製作段階でＰＣａ部材にＰＣ鋼材を埋設して予めプレテンション工法によって緊張し定着しておくことが可能であり、したがってＰＣａ部材にプレストレスを支障なく導入可能であることはもとより、プレストレスを現場にてポストテンション工法により導入することが通常である在来工法に比べて現場作業を大幅に軽減できて施工性を大きく改善することができる。
【図面の簡単な説明】
【００１５】
【図１】本発明の接合構造の実施形態を示す立断面図である。
【図２】同、複合梁の断面図（図１におけるII−II線視図）である。
【図３】同、平断面図（図１におけるIII−III線視図）である。
【図４】同、複合梁と直交する桁行方向の大梁の断面図（図１におけるIV−IV線視図）である。
【図５】本発明の接合方法の第１実施形態を示すもので、複合梁とＰＣａ柱との組立状況を示す分解図である。
【図６】同、組立状況を示す図である。
【図７】同、接合後に上階のＰＣａ柱を建て込んだ状況を示す図である。
【図８】同、接合前に上階のＰＣａ柱を建て込んだ状況を示す図である。
【図９】本発明の接合方法の第２実施形態を示すもので、複合梁とＰＣａ柱と接合筋の組立状況を示す図である。
【図１０】同、上階のＰＣａ柱を同時に建て込んだ状況を示す図である。
【図１１】本発明の接合方法の第３実施形態を示すもので、複合梁とＰＣａ柱との組立状況を示す分解図である。
【図１２】同、組立状況を示す図である。
【図１３】同、接合後に上階のＰＣａ柱を建て込んだ状況を示す図である。
【図１４】同、接合前に上階のＰＣａ柱を建て込んだ状況を示す図である。
【発明を実施するための形態】
【００１６】
図１〜図４に本発明の接合構造の実施形態を示す。
図中、符号１は複合梁であり、これはＨ形鋼からなる鉄骨梁２を主体としてその両端部（図では一端部のみを図示しているが他端部も同様の構成とされている）にプレキャスト鉄筋コンクリートからなるＰＣａ部材３が一体に形成されているものである。
ＰＣａ部材３内には梁筋（主筋およびスタラップ）が埋設されている他、材軸方向に沿って配設されたＰＣ鋼材４が緊張されて定着されていて、このＰＣａ部材３には予めプレストレスが導入されている。
【００１７】
この複合梁１はプレキャスト鉄筋コンクリート造のＰＣａ柱５の間に架設されるものである。本実施形態では各階に配置されるＰＣａ柱５を梁下までの高さとしてその上部に複合梁１の端部を接合するとともに、さらにその上部に上階のＰＣａ柱５を接合し、それらの全体を接合筋６を介して接合するようにしている。
すなわち、本実施形態の接合構造では、そのような形態で複合梁１と上下のＰＣａ柱５とを接合することにより、最終的には上下のＰＣａ柱５が複合梁１の端部を挟んで一連の柱を構成し、したがって複合梁１の端部（ＰＣａ部材３の先端部であって、ＰＣａ柱５の水平断面と重なる部分）がそのまま上下のＰＣａ柱５と一体となって柱梁接合部（いわゆるパネルゾーン）として機能するものであり、上記の接合筋６は上下のＰＣａ柱５における柱主筋５ａに対してスリーブ継手７を介して接合されることにより柱梁接合部における柱主筋としても機能するものである。
なお、図示例の場合、図１に示すようにＰＣａ部材３の下面には若干の段部３ａが形成されていて、このＰＣａ部材３の端部（ＰＣａ柱５に接合されて柱梁接合部として機能する部分）の梁成寸法は他の部分よりも若干大きくされているが、この段部３ａを省略してＰＣａ部材３全体の梁成を均等にしておくことでも良い。
【００１８】
また、本実施形態においてはＰＣａ柱５による一連の柱は建物の外周に位置する外周柱であって、これには上記の複合梁１がスパン方向の大梁として架設されている他、図３に示すようにＰＣａ柱５の両側に桁行方向の大梁８が架設されている。図示例の場合にはそれら大梁８および外壁（図示略）は建物の内側にずれた位置に設置されていて、柱形が外壁よりも建物の外側にあるいわゆるアウトフレームの外観を呈するものとされている。
上記の桁行方向の大梁８は、上記の複合梁１のＰＣａ部材３の端部（すなわち柱梁接合部として機能する部分）に対して接合されているが、図示例の場合には図３〜図４に示すようにそれら大梁８はＰＣａ製のＬ形の打込み型枠８ａの内側に鉄筋コンクリート梁が形成された構造とされ、柱梁接合部を挟んでその両側に対向している大梁８どうしは柱梁接合部を貫通している接合筋９を介して柱梁接合部に対してそれぞれ接合されており、それら接合筋９はスリーブ継手１０を介して梁主筋８ｂに対して接合されることで柱梁接合部における梁主筋としても機能するものである。
【００１９】
上記構造により複合梁１とＰＣａ柱５とを接合するための接合方法の第１実施形態を図５〜図８に模式的に示す。
本第１実施形態では、図５に示すように複合梁１のＰＣａ部材３の端部（すなわち上述したように最終的に柱梁接合部として機能する部分）に、ＰＣａ柱５を接合するための接合筋６を上下に貫通せしめた状態で配筋しておくとともに、桁行方向の大梁８を接合するための接合筋９を両側に突出せしめた状態で配筋しておく。
また、ＰＣａ柱５は梁下までの高さとしておき、その柱頭部には接合筋６の端部を挿入して柱主筋５ａに対して接合するためのスリーブ継手７（図６（ｂ）参照）を埋設しておき、かつその柱脚部にも同様にスリーブ継手７（図７、図８に示す上階のＰＣａ柱５の柱脚部参照）を埋設しておく。
【００２０】
そして、図６に示すように、接合筋６の下端部をＰＣａ柱５の柱頭部のスリーブ継手７に挿入した状態で複合梁１のＰＣａ部材３の端部をＰＣａ柱５に載置するが、その際、それらの間に若干の間隙を確保した状態で複合梁１を仮支持し、その間隙の周囲にはグラウト充填用の型枠１１を取り付け、その型枠１１には注入口１１ａと排出口１１ｂ（図５参照）とを形成しておく。
また、複合梁１のＰＣａ部材３の端部（柱梁接合部）の両側には桁行方向の大梁８を施工するための打込み型枠８ａを取り付ける。
【００２１】
しかる後に、型枠１１の注入孔１１ａから型枠１１内に高強度コンクリート等のグラウト１２を加圧充填して間隙内に充填するとともに、それに通じているスリーブ継手７内にも充填する。この際、グラウト１２が排出口１１ｂから流出してくるまで加圧充填することにより間隙内全体およびスリーブ継手内全体に確実に充填することができ、そのグラウト１２が硬化すれば接合筋６を介して複合梁１とＰＣａ梁５とが確実強固に接合される。
【００２２】
上記工程と相前後して、打込み型枠８ａ内に配筋を行った上でコンクリートを打設して桁行方向の大梁８を施工した後、図７に示すように上階の施工に移行する。
すなわち、上階のＰＣａ柱５を複合梁１の端部（柱梁接合部）の上部に建て込み、その柱脚部のスリーブ継手７に接合筋６の上端部を挿入するが、その際、上記工程と同様にそれらの間に若干の間隙を確保してその周囲に型枠１１を配置する。そして、型枠１１内にグラウト１２を加圧充填して間隙内およびその上部に通じているスリーブ継手７内に充填することにより上階のＰＣａ柱５を柱梁接合部に対して接合し、以降は以上の工程を順次繰り返していく。
【００２３】
なお、上記工程のように複合梁１を下階のＰＣａ柱５に対して接合してから改めて上階の施工に以降することでも良いが、あるいは図８に示すように、下階のＰＣａ柱５上に複合梁１を載置した時点で直ちにその上部に上階のＰＣａ柱５を建て込んでしまい、複合梁１の上下の間隙およびそれに連なる上下のスリーブ継手７にグラウト１２を同時に充填することにより、複合梁１の上下に対して上階のＰＣａ柱５と下階のＰＣａ柱５とを同時に接合するようにしても良い。
【００２４】
以上の接合構造および接合方法によれば、複合梁１とＰＣａ柱５とを確実堅固に接合できることはもとより、複合梁１の端部がそのまま柱梁接合部（パネルゾーン）として機能するので構造的に単純にして明快であって合理的である。
また、梁と柱の双方に対する高度のＰＣａ化を実現できるし、特に複合梁１の端部のＰＣａ部材３に対してはプレテンション工法により予めプレストレスを支障なく導入しておくことが可能であるので、柱梁接合部を現場打ちで施工したり、プレストレスをポストテンション工法により現場にて導入する場合に比べて現場作業を大幅に軽減し得て効率的な施工が可能であり、在来工法に比べて施工効率を大きく改善することが可能である。
【００２５】
図９〜図１０は本発明の接合方法の第２実施形態を示す。
上記第１実施形態では、複合梁１を上下のＰＣａ柱５に対して接合するための接合筋６をＰＣａ部材３の上下に突出させた状態で予め配筋しておくようにしたが、本第２実施形態では図９に示すようにＰＣａ部材３にシース管を埋設することにより接合筋６を配筋するための貫通孔１３を予め設けておき、複合梁１の端部をＰＣａ柱５に載置する際にその貫通孔１３をスリーブ継手７の位置に合致させ、しかる後に接合筋６を後配筋するようにしたものである。
この場合も、ＰＣａ部材３とＰＣａ柱５との間の間隙にグラウト１２を加圧充填することにより、その間隙内からスリーブ継手７内にはもとより、その上部に連なる貫通孔１３内にもグラウト１２が隙間なく充填されていき、最終的には第１実施形態と同様に確実に接合することができる。
なお、本第２実施形態においても、第１実施形態の場合と同様に複合梁１を下階のＰＣａ柱５に接合してから上階の施工に以降することでも良いが、図１０に示すように複合梁１の上下に対して上下のＰＣａ柱５を同時に接合することもできる。
【００２６】
図１１〜図１４は本発明の接合方法の第３実施形態を示す。
本第３実施形態では接合筋６をＰＣａ柱５の上部に突出させて予め配筋しておくようにしたものである。すなわち、複合梁１のＰＣａ部材３には第２実施形態の場合と同様にシース管を埋設して接合筋６が挿通可能な貫通孔１３を設けておくとともに、ＰＣａ柱５の柱頭部には柱主筋５ａをそのまま上方に大きく延長することにより上階のＰＣａ柱５の柱脚部に達する接合筋６として上方に突出させておき、ＰＣａ柱５の柱脚部には接合筋６の上端部が挿入される位置にスリーブ継手７を埋設しておく（図１３、図１４に示す上階のＰＣａ柱５の柱脚部参照）。
そして、図１２に示すように接合筋６をＰＣａ部材３の貫通孔１３に貫通させた状態で複合梁１をＰＣａ柱５上に載置し、上記実施形態と同様にそれらの間の間隙にグラウト１２を加圧充填することによりその間隙内およびそれに通じる貫通孔１３内にグラウト１２を充填して図１３に示すように複合梁１を下階のＰＣａ柱５に対して接合し、しかる後に、上階のＰＣａ柱５を建て込んでその柱脚部のスリーブ継手７に接合筋６の上端部を挿入して接合すれば良い。
あるいは図１４に示すように、下階のＰＣａ柱５に複合梁１を載置するとともにさらにその上部に上階のＰＣａ柱５を建て込み、それらの全体を同時に接合することでも良い。
【００２７】
以上で本発明の接合構造および接合方法の実施形態を説明したが、上記各実施形態はあくまで好適な一例に過ぎず、複合梁やＰＣａ柱の具体的な構成や、柱梁接合部の具体的な構造、その施工手順等については、本発明の要旨を逸脱しない範囲内で適宜の設計的変更や応用が可能であることは言うまでもない。
たとえば、上記各実施形態は、いずれも複合梁１の端部のＰＣａ部材３に対してプレテンション工法により予めプレストレスを導入しておく場合の適用例であるが、本発明はそれに限定されるものではなくプレストレスは必ずしも導入することはない。
また、上記第２実施形態および第３実施形態におけるＰＣａ部材３には予め貫通孔１３を形成しておくことから、そのようなＰＣａ部材３に対してプレテンション工法によりプレストレスを導入する場合には、プレストレス力によって貫通孔１３が変形してしまって接合筋６の挿入が困難になることがないように留意すべきであり、必要であれば貫通孔１３やその周囲に対して適宜の補強を行えば良い。
【符号の説明】
【００２８】
１  複合梁
２  鉄骨梁
３  ＰＣａ部材
３ａ  段部
４  ＰＣ鋼材
５  ＰＣａ柱
５ａ  柱主筋
６  接合筋
７  スリーブ継手
８  大梁（桁行方向）
８ａ  打込み型枠
８ｂ  梁主筋
９  接合筋
１０  スリーブ継手
１１  型枠
１１ａ  注入口
１１ｂ  排出口
１２  グラウト
１３  貫通孔
【図１】
2011252304.tif 000003
【図２】
2011252304.tif 000004
【図３】
2011252304.tif 000005
【図４】
2011252304.tif 000006
【図５】
2011252304.tif 000007
【図６】
2011252304.tif 000008
【図７】
2011252304.tif 000009
【図８】
2011252304.tif 000010
【図９】
2011252304.tif 000011
【図１０】
2011252304.tif 000012
【図１１】
2011252304.tif 000013
【図１２】
2011252304.tif 000014
【図１３】
2011252304.tif 000015
【図１４】
2011252304.tif 000016